(57)【要約】【課題】閲覧を重視するファイルやネットワークコンテンツの見易さと、文字入力のし易さの両面について良好な操作性を備えるデータ表示装置を提供する。【解決手段】横表示スタイルでは、横表示のビュースタイルが可能でより大きくＷｅｂ画面を閲覧できる。この横表示にてＷｅｂページの閲覧時に、例えば、掲示板への書き込み操作を選択すると、表示部５に、現状態では、書き込み、編集等が不可能である旨を表示するとともに、携帯電話１を通常スタイルに戻すよう促す文面、例えば「通常スタイルに変更してください」等のコメントが表示される。【選択図】図５
2007166080.tif 000002
【特許請求の範囲】
【請求項１】
表示手段を備えた第１の筐体と、文字を入力する入力手段を備えた第２の筐体と、前記表示手段を露出させ且つ前記入力手段が隠れるように前記第１の筐体と前記第２の筐体とを配置する第１の状態と前記表示手段と前記入力手段とがほぼ同じ方向に向くように前記第１の筐体と前記第２の筐体とを配置する第２の状態とを選択可能に変更する変更手段とからなるデータ表示装置において、
入力を要求するデータを記憶する記憶手段と、
この記憶手段より入力を要求するデータを読み出して、前記表示手段に表示させる表示制御手段と、
この表示制御手段によって前記入力を要求するデータが表示されると、当該装置が前記第１の状態か前記第２の状態かを判断する第１の判断手段と、
この第１の判断手段により第１の状態であると判断されると、前記第２の状態に変更するよう報知する報知手段と、
を備えることを特徴とするデータ表示装置。
【請求項２】
ネットワークに接続する接続手段と、
この接続手段によってネットワークに接続し、当該ネットワークを介して外部の情報資源からデータの転送を要求する要求手段と、
この要求手段による要求に応答して、前記外部の情報資源から転送されてきたデータを前記記憶手段に記憶させる記憶制御手段と、
この前記記憶制御手段によって記憶されたデータを前記表示手段に表示させるとき、前記データに前記文字の入力を要求するデータが含まれているか否かを判断する第２の判断手段とを更に備え、
前記第１の判断手段はこの第２の判断手段により文字の入力を要求するデータが含まれていると判断されると、当該装置が前記第１の状態か前記第２の状態かを判断することを特徴とする請求項１に記載のデータ表示装置。
【請求項３】
前記第１の状態か前記第２の状態かに関わらず前記第１の筐体又は前記第２の筐体の露出する位置に設けられ、前記表示手段に表示されたデータの移動表示を指示するための第１の指示手段と、
前記第２の判断手段により文字の入力を要求するデータが含まれていると判断すると、前記第１の指示手段を操作することにより移動表示された表示内容に、前記文字の入力を要求するデータに対応する表示が存在するか否かを判断する第３の判断手段と、
を更に備え、
前記第１の判断手段は、この第３の判断手段により前記文字の入力を要求するデータに対応する表示が存在すると判断すると、当該装置が前記第１の状態か前記第２の状態かを判断することを特徴とする請求項２に記載のデータ表示装置。
【請求項４】
前記第１の状態か前記第２の状態かに関わらず前記第１の筐体又は前記第２の筐体の露出する位置に設けられ、前記第３の判断手段により前記文字の入力を要求するデータに対応する表示が存在すると判断すると、文字の入力を指示する第２の指示手段と、
前記第２の指示手段の操作がなされたか否かを判断する第４の判断手段と、
を更に備え、
前記第１の判断手段は、この第４の判断手段により前記第２の指示手段の操作がなされたと判断されると、当該装置が前記第１の状態か前記第２の状態かを判断することを特徴とする請求項３に記載のデータ表示装置。
【請求項５】
データを表示する表示部と文字を入力する入力部とを備え、前記表示部を露出させ且つ前記入力部が隠れる第１の状態と前記表示部と前記表示部とが露出する第２の状態とを選択することが可能なコンピュータを、
予めメモリに記憶された入力を要求するデータを読み出し、前記表示部に表示させる表示制御手段、
この表示制御手段によって前記入力を要求するデータが読み出されて表示されると、前記第１の状態か前記第２の状態かを判断する第１の判断手段、
この第１の判断手段により第１の状態であると判断されると、前記第２の状態に変更するよう報知する報知手段、
として機能させる表示制御プログラム。
【発明の詳細な説明】
【技術分野】
【０００１】
本発明は、データ表示装置に関する。
【背景技術】
【０００２】
近年、データ表示装置の一つとして携帯電話にあっては、インターネット接続機能を備え、Ｗｅｂページの閲覧等、様々なインターネットサービスを受けることができるようになりつつある。そして、このようなインターネットサービスのうち、例えば電子掲示板サービスのように、Ｗｅｂページの閲覧をしつつも任意にコメントを作成し、サーバに自由にアップロードできるものも考案されている（特許文献１、第３ページ、図２参照）。
【特許文献１】特開２００２−１０８７６０号公報
【発明の開示】
【発明が解決しようとする課題】
【０００３】
このように、携帯電話のインターネット接続機能が普及するのに伴い、予め記憶されたマルチメディアファイル等、閲覧を重視するファイル、及び、配信映像や画像、Ｗｅｂページ等のネットワークコンテンツの見易さが重視され、ディスプレイの表示面積が大きくなる傾向にある。またこの一方で、従来より備えられるアドレス帳、電話帳、メール作成機能や、電子掲示板サービスへの書き込み等を行うため、文字入力のためのユーザーインターフェイスも必須となっている。しかしながら携帯性を重視しつつも、これらのデバイスを使用勝手を考慮しながら実装することは非常に困難であり、結果としてネットワークコンテンツの見易さと文字入力のし易さの両面を考慮した操作性を備えるものは存在しなかった。
【０００４】
本発明は、このような問題点に鑑みてなされたものであり、閲覧を重視するファイルやネットワークコンテンツの見易さと、文字入力のし易さの両面について良好な操作性を備えるデータ表示装置を提供することを目的とする。
【課題を解決するための手段】
【０００５】
上記課題を解決するために、請求項１に記載の発明は、表示手段を備えた第１の筐体と、文字を入力する入力手段を備えた第２の筐体と、文字を入力する入力手段を備えた第２の筐体と、前記表示手段を露出させ且つ前記入力手段が隠れるように前記第１の筐体と前記第２の筐体とを配置する第１の状態と前記表示手段と前記入力手段とがほぼ同じ方向に向くように前記第１の筐体と前記第２の筐体とを配置する第２の状態とを選択可能に変更する変更手段とからなるデータ表示装置において、入力を要求するデータを記憶する記憶手段と、この記憶手段より入力を要求するデータを読み出して、前記表示手段に表示させる表示制御手段と、この表示制御手段によって前記入力を要求するデータが表示されると、当該装置が前記第１の状態か前記第２の状態かを判断する第１の判断手段と、この第１の判断手段により第１の状態であると判断されると、前記第２の状態に変更するよう報知する報知手段とを備えることを特徴とする。
【０００６】
請求項２に記載の発明は、請求項１に記載の発明おいて、ネットワークに接続する接続手段と、この接続手段によってネットワークに接続し、当該ネットワークを介して外部の情報資源からデータの転送を要求する要求手段と、この要求手段による要求に応答して、前記外部の情報資源から転送されてきたデータを前記記憶手段に記憶させる記憶制御手段と、この前記記憶制御手段によって記憶されたデータを前記表示手段に表示させるとき、前記データに前記文字の入力を要求するデータが含まれているか否かを判断する第２の判断手段とを更に備え、前記第１の判断手段はこの第２の判断手段により文字の入力を要求するデータが含まれていると判断されると、当該装置が前記第１の状態か前記第２の状態かを判断することを特徴とする。
【０００７】
請求項３に記載の発明は、請求項２に記載の発明において、前記第１の状態か前記第２の状態かに関わらず前記第１の筐体又は前記第２の筐体の露出する位置に設けられ、前記表示手段に表示されたデータの移動表示を指示するための第１の指示手段と、前記第２の判断手段により文字の入力を要求するデータが含まれていると判断すると、前記第１の指示手段を操作することにより移動表示された表示内容に、前記文字の入力を要求するデータに対応する表示が存在するか否かを判断する第３の判断手段と、を更に備え、前記第１の判断手段は、この第３の判断手段により前記文字の入力を要求するデータに対応する表示が存在すると判断すると、当該装置が前記第１の状態か前記第２の状態かを判断することを特徴とする。
【０００８】
請求項４に記載の発明は、請求項３に記載の発明において、前記第１の状態か前記第２の状態かに関わらず前記第１の筐体又は前記第２の筐体の露出する位置に設けられ、前記第３の判断手段により前記文字の入力を要求するデータに対応する表示が存在すると判断すると、文字の入力を指示する第２の指示手段と、前記第２の指示手段の操作がなされたか否かを判断する第４の判断手段と、を更に備え、前記第１の判断手段は、この第４の判断手段により前記第２の指示手段の操作がなされたと判断されると、当該装置が前記第１の状態か前記第２の状態かを判断することを特徴とする。
【０００９】
請求項５に記載の発明は、データを表示する表示部と文字を入力する入力部とを備え、前記表示部を露出させ且つ前記入力部が隠れる第１の状態と前記表示部と前記表示部とが露出する第２の状態とを選択することが可能なコンピュータを、予めメモリに記憶された入力を要求するデータを読み出し、前記表示部に表示させる表示制御手段、この表示制御手段によって前記入力を要求するデータが読み出されて表示されると、前記第１の状態か前記第２の状態かを判断する第１の判断手段、この第１の判断手段により第１の状態であると判断されると、前記第２の状態に変更するよう報知する報知手段として機能させることを特徴とする。
【発明の効果】
【００１０】
請求項１及び５に記載の発明によれば、入力を要求するデータを読み出して表示させると、当該装置が表示部を露出させ且つ入力部が隠れる第１の状態か、表示部と入力部とがほぼ同じ方向に向く第２の状態かを判断し、第１の状態であるときには、第２の状態に変更するよう報知するので、閲覧を重視するファイルやネットワークコンテンツの見易さと、文字入力のし易さの両面について良好な操作を提供することができる。
【００１１】
また、請求項２に記載の発明によれば、請求項１に記載の発明に加え、転送ネットワークに接続し、当該ネットワークを介して外部の情報資源から転送されてきたデータを記憶し、表示させるとき、このデータに文字の入力を要求するデータが含まれているか否かを判断する。したがって、ネットワークコンテンツの見易さと、文字入力のし易さの両面について良好な操作を提供することができる。
【００１２】
また、請求項３、及び、請求項４に記載の発明によれば、請求項３に記載の発明に加え、転送され表示されたコンテンツを移動表示させることができ、この移動表示に伴い文字の入力を要求するデータに対応する表示がなされた時や、更にこの表示に対し、文字の入力が指示された時に、表示部が露出し且つ入力部が隠れる状態から、表示部と入力部とが同一面に並ぶ状態に変更するよう報知する。したがって、ネットワークコンテンツの見易さと、文字入力のし易さの両面について良好な操作を提供することができる。
【発明を実施するための最良の形態】
【００１３】
以下、図を参照して、本発明の実施形態について詳細に説明する。
【００１４】
〔第１実施例〕
図１に、第１実施例に係るシステム全体の構成を示す。本発明を適用したデータ表示装置として、携帯電話１は、基地局１０１を利用した無線通信回線による音声通話サービス及びパケットデータ通信サービスを提供するサービス事業者１０２を介した無線信号Ｒ１を介して他の携帯電話１００と音声通話を行い、一方、パケットデータ通信サービスについては、基地局１０１、サービス事業者１０２を介して、ＷＷＷ等の公開情報通信網１０３を介して所望のデータを受信、記憶する。なお、サービス事業者１０２は、サービス加入が所有する携帯電話同士を接続する回線接続手段の他、公開情報網１０３へアクセスするためのシステム、例えば、Ｗｅｂサーバやゲートウェイサーバを備えている。
【００１５】
情報提供サービス会社１０４は、複数の情報やＷｅｂサイトデータを蓄積するデータベース１０５を備え、携帯電話１からの要求に応じて、データを公開情報通信網１０３、サービス事業者１０２、基地局１０１を介して携帯電話１に提供する。
【００１６】
次に、図２に、携帯電話１を開いた状態の外観図を示す。（ａ）は、正面外観を示し、（ｂ）は、右側面（Ａ方向からみた）の外観を示す。
【００１７】
図２に示すように、蓋部２（第１の筐体）は、本体部３（第２の筐体）に対し第１ヒンジ部１１０を回転軸として開閉可能（矢印α）に配置されている他、第２ヒンジ部１２０を回転軸として回転可能（矢印β）になっている。蓋部２は、受話スピーカ９１、表示部５を備え、正面からみて受話スピーカ９１の右側の端部に磁石２７、データ通信用内蔵アンテナ（図示省略）を内蔵している。受話スピーカ９１は、ダイナミックスピーカであり、蓋部２の内面に配置されている。表示部５は、蓋部２の内面に配置され、映像表示が可能なＴＦＴ液晶（ＱＶＧＡ、若しくは、ＳＶＧＡを含むＶＧＡ以上の解像度を備える）などで構成される。
【００１８】
第１ヒンジ部１１０は、蓋部２に連結されて当該蓋部２と一体的に回転する可動部１１と、本体部３側に固定されるとともに可動部１１１の両側に設けられた左右一対の固定部１１２、１１３とで構成されている。
【００１９】
本体部３は、キー入力部２０と送信マイク９２を備える。キー入力部２０は、決定キー２５、カーソルキー２６、ファンクションキー２２、２３、及びテンキー２４を備え、キーの押下操作に対応する操作信号を制御部３０（後述）へ出力する。また、正面からみて送信マイク９２の左側の端部にホール素子からなる磁気センサ２８を内蔵する。
【００２０】
また、図２（ｂ）に示すように、蓋部２は、側面方向から見た場合、磁石２７は、表示部５が設置される面の反対側近傍に設置されている。また、本体部３の側面には、音量を調整する上下キー７、カメラモード時に使用するシャッターキー８が備えられている。この上下キー７は、携帯電話１を通常スタイル（後述）にした状態でＷｅｂページを閲覧する場合に利用する。つまり、カーソルキー２６の操作で実行される動作と同様の動作が可能である。
【００２１】
図３（ａ）に、蓋部２をβ方向に回転させて閉じた時の正面外観図を示し、（ｂ）に、Ｂ方向から見た場合の側面図を示す。なお、（ａ）は、図２（ａ）の蓋部２と同様の構成であるため、同じ符号を付し、説明は省略するが、この状態においては、磁石２７は磁気センサ２８に最も近くなるため、磁気センサ２８はより強い磁気を検出する。また図３（ｂ）について説明すると、蓋部２は、動画を撮影する録画キーとしてのＲＥＣキー９、マナーモードを設定するマナーキー１１、全画面表示設定やサービス切替表示を表示させるＸキー１２等の各種キーを備える。また、左右キー１０を備え、携帯電話１を通常スタイルにした状態でＷｅｂページを閲覧するときは、この左右キー１０を操作することにより表示部５に表示されるＷｅｂページを左右に移動させる。そして、携帯電話１を横表示スタイル（後述）にした状態でＷｅｂページを閲覧する場合には、この左右キー１０が上下キーとなり、Ｗｅｂページを上下に移動させる動作を実行する。また、入力フォームへの入力指示についてはＲＥＣキー９の操作を検出することにより判定する。
【００２２】
次に、図４に、本発明に係る携帯電話１の主要部構成を示す。
【００２３】
図に示すように、携帯電話１は、制御部３０、無線送受信部４０、通信処理部４１、ドライバ部５０、入力部２０、記憶部７０、カメラ部８０、音声処理部９０、表示部５及び電源部１３０、磁気センサ２８等により構成される。
【００２４】
制御部３０は、入力される指示に応じて、所定のプログラムに基づいた処理を実行し、各機能部への指示やデータの転送を行う中央演算装置である。具体的には、入力部２０から入力される操作信号に応じてプログラムＲＯＭ（Read Only Memory）７１に格納されたプログラムを読み出し、当該プログラムに従った処理を実行する。そして、その処理結果を表示部５に表示させる。
【００２５】
また、第１実施例に係る携帯電話１は、通常スタイルと横表示スタイルの２種類の状態により、Ｗｅｂページの閲覧等が可能である構成である（図５、参照）。状態検知部３１は、磁気センサ２８が検出する磁気により、現時点の携帯電話１の状態が、通常スタイルであるか、横表示スタイルであるかを検知し、検知した情報を制御部３０に送信する。つまり、ユーザの操作により携帯電話１のスタイルが切替られると、それを検知した状態検知部３１は、切替信号を制御部３０に送信することにより、制御部３０は携帯電話１の動作を制御するのである。なお、携帯電話１の状態検知方法は、この方法に限定されない。
【００２６】
上述した方法により、状態検知部３１が横表示スタイルへの切替信号を制御部３０に送信し、その信号を制御部３０が受信した場合に実行する処理について説明する。ユーザが横表示スタイルによりＷｅｂサイトを閲覧し、所定のＵＲＬにジャンプ、もしくはアクセスすることにより、書き込み、編集等の入力フォームが表示されると、制御部３０はその書き込み、編集等の入力フォームが含まれるファイルを転送受信し、ワークＲＡＭ７２に記憶し、表示する。そして、横表示スタイルでは、書き込み、編集等ができない旨及び携帯電話１の状態を通常スタイルに変更するようアナウンスを表示部５に表示する。このとき、ユーザが通常スタイルに変更しなければ、状態検知部３１は切替信号を制御部３０へは送信しない。従って、制御部３０は横表示スタイルのままであると判断するため、書き込み、編集等を可能にはせず、再度、アナウンスを表示する。ユーザが、横表示スタイルから通常スタイルへ変更すると、状態検知部３１はその旨を検知し、切替信号を制御部３０へ送信する。制御部３０は、当該切替信号を受信すると、書き込み、編集等を可能するよう制御し、ユーザのキー操作により送信されるキー操作信号を受信する。
【００２７】
通信処理部４１は、ベースバンド信号（データ）から通信制御データ、音声データ、メールデータ等を取得し、制御部３０に出力する。また、通信処理部４１は、無線送信するデータを変換し、無線送受信部４０に出力する。
【００２８】
無線送受信部４０は、搬送波を通信データで変調処理し、アンテナ４２を解して無線通信信号を送信する。また、無線送受信部４０は、アンテナ４２を介して受信した無線通信信号を復調処理し、復調されたベースバンド信号（データ）を通信処理部４１に出力する。送受信される無線通信信号の変復調方式としては、ＣＤＭＡ（Code Division Multiple Access）方式、ＧＳＭ（Global System for Mobile communication）方式、ＰＤＣ（Personal Digital Cellular）方式等の各種公知技術の何れかを利用することとしてもよい。
【００２９】
ドライバ５０は、ＬＥＤ（Light Emitting Diode）ドライバ５１、モータドライバ５２、ＵＳＢ（Universal Serial Bus）ドライバ５３を備えて構成される。ＬＥＤドライバ５１は、キーマトリックス２１やディスプレイ１２３のバックライト用ＬＥＤ、カメラフラッシュ用のＬＥＤ等の駆動制御を行う。
【００３０】
モータドライバ５２は、各種モータＭの駆動制御を行う。ＵＳＢドライバ５３は、ＩＦコネクタ５４へのＵＳＢケーブル（図示省略）の接続の有無の検知や、当該ＵＳＢケーブルを介して行う外部機器とのデータ通信の制御等を行う。
【００３１】
入力部２０は、テンキー、各種ファンクションキーなど、プログラムの実行開始の指示入力や、各種情報の入力に必要なキーマトリックス２１を備えた入力装置であり、ユーザのキー操作による押下信号を制御部３０へ出力する。
【００３２】
記憶部７０は、プログラムＲＯＭ７１、ワークＲＡＭ（Random Access Memory）７２、データストレージＲＡＭ７３等を備える。ＰｒｏｇｒａｍＲＯＭ７１は、携帯電話１の本来の動作に必要なプログラムや、Ｗｅｂサイトを閲覧するための機能を実行するプログラム、アドレス帳機能を実行するプログラム、及び、メール機能を実行するプログラムをはじめとする各種アプリケーションプログラムを格納する。
【００３３】
ワークＲＡＭ７２は、ＤＲＡＭで構成され、上記プログラムが実行されている時、その実行処理内容（アドレス帳機能を実行するプログラム、及び、メール機能を実行するプログラムにおいては、入力・編集データ、Ｗｅｂサイトを閲覧するための機能を実行するプログラムにおいては、外部のネットワークより転送したファイル）等を一時的に格納・記憶する。
【００３４】
ＤａｔａＳｔｏｒａｈｅＲＡＭ７３は、読み書き可能な不揮発性メモリで構成され、携帯電話１の各種設定情報や、上記プログラムが処理された結果生成され、保存されるアドレス帳などのユーザ情報等を記憶する。
【００３５】
カメラ部８０は、ＣＭＯＳ（Complementary Metal Oxide Semiconductor）センサやＣＣＤ（Charge Coupled Device）センサ等の撮像素子８１と、光学レンズ８２、Ａ／Ｄ変換器（図示省略）等を備える。光学レンズ８２を介して入力される被写体の光学像を撮像素子８１により光電変換し、当該光電変換により得た電気信号を、Ａ／Ｄ変換部により変換し、デジタル画像データを生成する。この生成した画像データは、制御部３０に出力して、データストレージＲＡＭ７３に記憶する。
【００３６】
音声処理部９０は、受話スピーカ９１、送信マイク９２、イヤホンマイク９３、音源ＩＣ９４及びステレオスピーカ９５等により構成される。受話スピーカ９１は、無線送受信部４０により受信された受話音声をＤ／Ａ変換、増幅等の処理により音声出力を行う。送信マイク９２は、入力される送話音声をＡ／Ｄ変換して、無線送受信部４０を介して送信する。イヤホンマイク９３は、イヤホンとマイクとが一体的に形成され、イヤホンジャックに挿入される（図示省略）。制御部３０は、イヤホンマイク９３が接続されたことを検知すると、当該イヤホンマイク９３を介して、受話音声及び送話音声の入出力を行う。
【００３７】
音源ＩＣ９４は、ステレオスピーカ９５への音声出力の制御や、着信音等の音源を記憶してその音源の出力制御を行う。
【００３８】
電源部１３０は、電源用回路や充電池により構成され（図示省略）、制御部３０の支持に基づいて各機能部への電源供給を行う。表示バッファ５００は実際に表示部５に表示されるデータを格納する。
【００３９】
次に、図５に、ユーザが実際に行う場合の操作遷移について示す。
【００４０】
図５（ａ）に示すように、本発明に係る携帯電話１は、横表示スタイル（第１の状態）では、横表示のビュースタイルが可能でより大きくＷｅｂ画面を閲覧できる。この横表示にてＷｅｂページの閲覧時に、例えば、掲示板への書き込み操作を選択すると、図５（ｂ）に示すように、表示部５に、現状態では、書き込み、編集等が不可能である旨を表示するとともに、携帯電話１を通常スタイルに戻すよう促す文面、例えば「通常スタイルに変更してください」等のコメントが表示される。ユーザは、この表示を確認し、図５（ｃ）に示すように、携帯電話１をメールの作成、掲示板への書き込みなど、携帯電話１としての機能をすべて使用できる通常スタイルへ変更する。
【００４１】
次に、図６のフローチャートを参照して、第１実施例に係る携帯電話１で実行される処理について説明する。
【００４２】
まず、ユーザが携帯電話１を横表示状態に切り替えると、携帯電話１の制御部３０は、横表示状態への切替信号を受信する（ステップＳ１）。ステップＳ１において、横表示状態への切替信号を受信すると、横表示にてＷｅｂサイトを表示部５へ表示する（ステップＳ２）。
【００４３】
ステップＳ２において、携帯電話１の表示部５に横表示にて当該Ｗｅｂサイトを表示すると、ユーザは表示されたＷｅｂサイトを閲覧する。そして、このユーザによる閲覧時に、入力フォームが表示されたか否かを、表示バッファ５００に入力フォームに関するデータが書き込まれた否かで判定する（ステップＳ４）。
【００４４】
ステップＳ４において、ユーザの閲覧時に入力フォームが表示されていないと判定すると（ステップＳ４；ＮＯ）、ステップＳ３に戻り、再度、ステップＳ３の処理を繰り返す。
【００４５】
一方、ステップＳ４において、ユーザの閲覧時に入力フォームが表示されたと判定すると（ステップＳ４；ＹＥＳ）、ファイルの編集・書き込み等のエリアを表示部５に表示する（ステップＳ５）。ステップＳ５において、ファイルの編集・書き込み等のエリアを表示部５に表示すると、携帯電話１を通常スタイルに変更するようアナウンスを表示画面に表示する（ステップＳ６）。
【００４６】
ステップＳ６において、携帯電話１を通常スタイルに変更するようアナウンスを表示画面に表示すると、ユーザ操作により通常スタイルに変更されたか否かを判定する（ステップＳ７）。ステップＳ７において、ユーザ操作により、携帯電話１が通常スタイルに変更さていないと判定すると（ステップＳ７；ＮＯ）、ステップＳ６に戻り、再度、ステップＳ６及びステップＳ７の処理を繰り返す。
【００４７】
一方、ステップＳ７において、ユーザ操作により、携帯電話１が通常スタイルに変更されたと判定すると（ステップＳ７；ＹＥＳ）、入力フォームへの書き込み、編集等のユーザ操作信号を受信する（ステップＳ８）。
【００４８】
以上のように、ユーザが携帯電話１を横表示スタイルにした状態で、Ｗｅｂページを閲覧しているときに、書き込み、編集等の入力フォームが表示されると、横表示スタイルの状態では書き込み、編集等が不可能であること及び通常スタイルに変更する旨のアナウンスを表示させることにより、例えば、携帯電話に詳しくないユーザが、次に何をすればいいのかわからず混乱してしまうことを回避することが可能となる。また、状態検知部３１によりまず携帯電話１の現時点のスタイルを検知しておくことにより、横表示スタイルでのＷｅｂページ閲覧に伴う入力フォームの表示にのみ、アナウンス表示することを可能にでき、効率の良い動作制御を行うことが可能となる。
【００４９】
〔変形例〕
次に、第１実施例の変形例に係る携帯電話１について説明する。なお、この変形例に係る携帯電話の概略構成、主要部構成及び各主要部の基本的な動作は第１実施例に係る携帯電話１（図１、２、３）と同様であるため、図示及び説明は省略する。
【００５０】
図７のフローチャートを参照して、第１実施例の変形例に係る携帯電話１で実行される処理について説明する。なお、同じ動作には同様の符号を付し、説明は省略する。
【００５１】
変形例に係る携帯電話１では、入力フォームを表示する動作までは第１実施例と同様である（ステップＳ１〜Ｓ４）。Ｗｅｂサイトにおける書き込み、編集等の入力フォームが表示部５に表示されると、変形例に係る携帯電話１では、次に、ＲＥＣキー９の操作を検出することにより入力フォームが選択されたか否かを判定する（ステップＳ１１）。ステップＳ１１において、ユーザのキー操作により入力フォームが選択されなかったと判定すると（ステップＳ１１；ＮＯ）、特に処理は実行されず、ユーザによるＷｅｂサイトの閲覧が継続される。
【００５２】
一方、ステップＳ１１において、ユーザのキー操作により入力フォームが選択されたと判定すると（ステップＳ１１；ＹＥＳ）、携帯電話１の状態を通常スタイルにするよう要求する旨のアナウンスを表示部５に表示し（ステップＳ６）、第１実施例に係る携帯電話１と同様の処理を実行する（ステップＳ６〜Ｓ８）。
【００５３】
以上のように、変形例に係る携帯電話１では、入力フォームが表示され、その入力フォームがユーザにより選択されると、その選択信号を受信することにより通常スタイルへの変更指示を表示することにより、入力フォームがＷｅｂサイト中に表示されても、入力を所望しないユーザには携帯電話１の状態を変更させる表示を行わないようにすることが可能となる。このことにより、横表示スタイルにてＷｅｂページの閲覧中に、入力フォームが表示部５に表示されても、当該入力フォームの選択を行わない限り携帯電話１の状態を横表示スタイルに保ったまま閲覧を継続することが可能となり、書き込み、編集等を所望しないユーザに対して、状態変更を要求することを回避することが可能となる。
【００５４】
〔第２実施例〕
次に、第２実施例に係る携帯電話１について説明する。なお、第２実施例にかかる携帯電話の概略構成、主要部構成及び基本的な動作は第１実施例に係る携帯電話１（図１、２、３）と同様であるため、図示及び説明は省略する。
【００５５】
第１実施例に係る携帯電話１では、入力部２０を操作しながら、例えば、掲示板等のＷｅｂサイトを閲覧しているときに、書き込み、編集等を行うための入力フォームが表示画面に表示さえると、その入力コマンドを受信した制御部３０は、携帯電話１の状態を通常スタイルに変更するように要求する旨のアナウンスを表示部５に表示し、ユーザに知らせるというものである。そのときの携帯電話１の状態は、状態検知部３１により予め検知され、その検知結果は制御部３０に送信されているため、制御部３０は、携帯電話１の状態が横表示スタイルの場合のみ、上述した処理を行う構成であった。
【００５６】
一方、第２実施例に係る携帯電話１では、Ｗｅｂサイトの閲覧中に次のページを要求することにより当該ページを取得した場合、制御部３０は取得した当該ページについて書き込み、編集等の入力コマンド（タグ情報）が有るか否かを判定する。そして、この判定により、入力コマンドが有ると判定した場合は、携帯電話１の状態が通常スタイルか否かの判定をする。より具体的には、入力コマンドが有ると判定した場合、制御部３０は状態検知部３１の動作を制御することにより、携帯電話１の現状態が通常スタイルか横表示スタイルかを判定するのである。状態検知部３１の検知結果により、携帯電話１の状態が通常スタイルではない場合は、現状態では、書き込み、編集等が不可能である旨及び携帯電話１を通常スタイルに変更するよう要求するアナウンスを表示部５に表示する。
【００５７】
図８のフローチャートを参照して、第２実施例に係る携帯電話１で実行される処理について説明する。
【００５８】
まず、ユーザがＷｅｂページ閲覧中に入力部２０を操作することにより、次ページを要求すると、制御部３０は、入力された次ページ要求信号を情報提供サービス会社１０４へ送信することにより、当該ページを取得する（ステップＴ１）。
【００５９】
ステップＴ１において、次ページ要求信号を送信することにより当該次ページを取得すると、取得した当該ページに、書き込みや編集等をするための入力コマンドが有るか否かを判定する（ステップＴ２）。
【００６０】
ステップＴ２において、取得した当該ページに、書き込みや編集等をするための入力コマンドがないと判定すると（ステップＴ２；ＮＯ）、ステップＴ１に戻り、再度、ステップＴ１及びステップＴ２の処理を繰り返す。
【００６１】
一方、ステップＴ２において、取得した当該ページに、書き込みや編集等をするために入力コマンドが有ると判定すると（ステップＴ２；ＹＥＳ）、携帯電話１の状態が通常スタイルか否かを判定する（ステップＴ３）。
【００６２】
ステップＴ３において、携帯電話１の状態が通常スタイルであると判定すると（ステップＴ３；ＹＥＳ）、その状態で書き込みや編集が可能であるため、特に表示はしない。そして、ユーザによる書き込みや編集等のキー操作信号を受信する（ステップＴ６）。
【００６３】
一方、ステップＴ３において、携帯電話１の状態が通常スタイルでないと判定すると（ステップＴ３；ＮＯ）、携帯電話１の状態が横表示状態であるため、当該状態では書き込みや編集等が不可能である旨を表示するとともに、当該状態を通常スタイルにするようアナウンスを表示部５に表示する（ステップＴ４）。
【００６４】
ステップＴ４において、携帯電話１の状態を通常スタイルにするようアナウンスを表示部５に表示すると、携帯電話１の状態が通常スタイルに変更されたか否かを判定する（ステップＴ５）。ステップＴ５において、携帯電話１の状態が通常スタイルに変更されていないと判定すると（ステップＴ５；ＮＯ）、ステップＴ４に戻り、再度、ステップＴ４及びステップＴ５の処理を繰り返す。
【００６５】
一方、ステップＴ５において、携帯電話１の状態が通常スタイルに変更されたと判定すると（ステップＴ５；ＹＥＳ）、ユーザによる書き込み、編集等にキー操作信号を受信する（ステップＴ６）。
【００６６】
以上のように、Ｗｅｂサイト閲覧中のページ要求ごとに、当該ページに対して入力コマンドの有無を判定し、その結果に応じて携帯電話１の動作を制御することにより、事前に入力フォームが有る旨をユーザに報知することが可能となる。さらに、入力コマンドがあった場合にのみ携帯電話１の状態を判定することにより、効率よく動作制御を行える。
【００６７】
尚、上記各実施例に係る携帯電話１は、横表示スタイル（第１の状態）と通常スタイル（第２の状態）とは、第１ヒンジ部１１０、第２ヒンジ部１２０を回転軸として選択するようにしていた。しかしながら、本発明はこれに限定されず、スライド式の携帯電話にも適用可能である。
【００６８】
例えば図９は、本発明をスライド機構を備えた携帯電話２００を図示したものであり、（ａ）は開状態（第２の状態）の斜視図、（ｂ）は閉状態（第１の状態）の斜視図である。この携帯電話２００は、第１の筐体２０２と第２の筐体２０３とがスライド機構２３０により移動し、開状態と閉状態とを選択することができ、第１の筐体２０２には、受話スピーカ９１、表示部５、入力フォームへの入力指示として機能する決定キー２５、閉状態においては上下キー７（上記各実施例における左右キー１０に相当）として機能するカーソルキー２６、及び、ファンクションキー２２、２３を備え、キーの押下操作に対応する操作信号を制御部３０（後述）へ出力する。一方、第２の筐体２０３は、開状態において露出するテンキー２４と、開状態、閉状態に関わらず露出する位置に、送信マイク９２が備えられている。
【００６９】
又、同図において、カーソルキー２６、決定キー２５は開状態、閉状態、閉状態に関わらず操作可能であり、上記第１の実施例、第２の実施例において、横長表示モードを閉状態、通常モードを開状態をとして機能させることで、上記第１の実施例、第２の実施例と同じ操作が実現される。
【００７０】
このように、スライド機構を備えた携帯電話２００であっても、Ｗｅｂサイト閲覧中のページ要求ごとに、当該ページに対して入力コマンドの有無を判定し、その結果に応じて携帯電話２００の動作を制御することにより、事前に入力フォームが有る旨をユーザに報知することが可能となる。さらに、入力コマンドがあった場合にのみ携帯電話２００の状態を判定することにより、効率よく動作制御を行える。
【図面の簡単な説明】
【００７１】
【図１】本発明に係るシステム全体の構成を示す図である。
【図２】携帯電話１を開いた状態の外観図を示す図である。
【図３】蓋部２をβ方向に回転させて閉じた時の外観図を示す図である。
【図４】携帯電話１の主要部構成を示す図である。
【図５】本発明に係る携帯電話１についてユーザが実際に行う操作方法について示す図である。
【図６】第１実施例に係る携帯電話１で実行される処理を示すフローチャートである。
【図７】第１実施例の変形例に係る携帯電話１で実行される処理を示すフローチャートである。
【図８】第２実施例に係る携帯電話１で実行される処理を示すフローチャートである。
【図９】スライド機構を備えた携帯電話２００の外観図であり、（ａ）は開状態、（ｂ）は閉状態を示す図である。
【符号の説明】
【００７２】
１  ２００  携帯電話
２  蓋部
３  本体部
５  表示部
７  上下キー
９  ＲＥＣキー
１０  左右キー
２４  テンキー
２５  決定キー
２６  カーソルキー
２８  磁気センサ  
３０  制御部
３１  状態検知部
４０  無線送受信部
４１  通信処理部
４２  アンテナ
７０  記憶部
７１  プログラムＲＯＭ
７２  ワークＲＡＭ
７３  データストレージＲＡＭ
１００  携帯電話
１０５  データベース
１１０  第１ヒンジ部
１１１  可動部
１１２  固定部１３  固定部
１２０  第２ヒンジ部
２０２  第１の筐体
２０３  第２の筐体
２３０  スライド部
Ｒ１、Ｒ２  無線信号
【図１】
2007166080.tif 000003
【図２】
2007166080.tif 000004
【図３】
2007166080.tif 000005
【図４】
2007166080.tif 000006
【図５】
2007166080.tif 000007
【図６】
2007166080.tif 000008
【図７】
2007166080.tif 000009
【図８】
2007166080.tif 000010
【図９】
2007166080.tif 000011